(57)【要約】【課題】熱交換流体の流れに渦が発生することを抑制する。【解決手段】第１ヘッダタンク２０は、第１ヘッダタンク２０の一端２１側において側壁２２側に偏って設けられ、熱交換流体を第１ヘッダタンク２０に導入する導入部２３と、導入部２３から導入される熱交換流体が沿って流れる側壁２５側において第１ヘッダタンク２０内に突出して設けられ、第１ヘッダタンク２０の他端２６に近いほどコア１０に近づく第１リブ２５ａ、２５ｂと、第１ヘッダタンク２０の他端２６側を経由して第１ヘッダタンク２０の一端２１側に向けて還流する熱交換流体が沿って流れる側壁２２側において第１ヘッダタンク２０内に突出して設けられ、第１ヘッダタンク２０の一端２１に近いほどコア１０に近づく第２リブ２２ａ、２２ｂと、を備える。【選択図】図４
2019007689.tif 000002
【特許請求の範囲】
【請求項１】
複数のチューブが並列に設けられたコアに熱交換流体を供給する熱交換器のヘッダタンクであって、
前記ヘッダタンクの一端側において２つの側壁のうちいずれかの側壁側に偏って設けられ、前記熱交換流体を前記ヘッダタンクに導入する導入部と、
前記２つの側壁のうち前記導入部から導入される前記熱交換流体が沿って流れる一方の側壁側において前記ヘッダタンク内に突出して設けられ、前記ヘッダタンクの他端に近いほど前記コアに近づく第１リブと、
前記２つの側壁のうち前記ヘッダタンクの前記他端側を経由して前記ヘッダタンクの前記一端側に向けて還流する前記熱交換流体が沿って流れる他方の側壁側において前記ヘッダタンク内に突出して設けられ、前記ヘッダタンクの前記一端に近いほど前記コアに近づく第２リブと、
を備えることを特徴とする熱交換器のヘッダタンク。
【請求項２】
請求項１に記載の熱交換器のヘッダタンクであって、
前記導入部の中心軸は、前記コアにおける前記複数のチューブの側面で形成された面に対して直交する方向に沿う、
ことを特徴とする熱交換器のヘッダタンク。
【請求項３】
請求項１に記載の熱交換器のヘッダタンクであって、
前記導入部の中心軸は、前記複数のチューブが並列に設けられた方向に沿う、
ことを特徴とする熱交換器のヘッダタンク。
【請求項４】
請求項１から３のいずれか１つに記載の熱交換器のヘッダタンクであって、
前記第１リブは、前記ヘッダタンクの前記他端側が前記コアに向かって湾曲して設けられ、
前記第２リブは、前記ヘッダタンクの前記一端側が前記コアに向かって湾曲して設けられる、
ことを特徴とする熱交換器のヘッダタンク。
【請求項５】
請求項１から４のいずれか１つに記載の熱交換器のヘッダタンクであって、
前記第１リブ及び前記第２リブは、それぞれ複数設けられる、
ことを特徴とする熱交換器のヘッダタンク。
【発明の詳細な説明】
【技術分野】
【０００１】
本発明は、熱交換器のヘッダタンクに関する。
【背景技術】
【０００２】
特許文献１には、複数のチューブに熱交換流体が行き渡るように、ヘッダタンク内に熱交換流体の流れを案内するリブを設けた熱交換器が開示されている。
【先行技術文献】
【特許文献】
【０００３】
【特許文献１】特開２００２−３１０５９３号公報
【発明の概要】
【発明が解決しようとする課題】
【０００４】
上記の熱交換器では、ヘッダタンクに熱交換流体を導入する導入部がヘッダタンクの２つの側壁のうちいずれかの側壁側に偏って設けられた場合は、熱交換流体が偏流する可能性がある。その結果として熱交換流体の流れに渦が発生すると、ヘッダタンクへの熱交換流体の流入抵抗が増大して熱交換器の効率が低下するおそれがある。
【０００５】
本発明は、このような技術的課題に鑑みてなされたもので、熱交換流体の流れに渦が発生することを抑制することを目的とする。
【課題を解決するための手段】
【０００６】
本発明のある態様によれば、複数のチューブが並列に設けられたコアに熱交換流体を供給する熱交換器のヘッダタンクが提供される。
【０００７】
ヘッダタンクは、ヘッダタンクの一端側において２つの側壁のうちいずれかの側壁側に偏って設けられ、熱交換流体をヘッダタンクに導入する導入部を備える。
【０００８】
また、ヘッダタンクは、２つの側壁のうち導入部から導入される熱交換流体が沿って流れる一方の側壁側においてヘッダタンク内に突出して設けられ、ヘッダタンクの他端に近いほどコアに近づく第１リブを備える。
【０００９】
また、ヘッダタンクは、２つの側壁のうちヘッダタンクの他端側を経由してヘッダタンクの一端側に向けて還流する熱交換流体が沿って流れる他方の側壁側においてヘッダタンク内に突出して設けられ、ヘッダタンクの一端に近いほどコアに近づく第２リブを備える。
【発明の効果】
【００１０】
上記態様によれば、ヘッダタンクの他端側を経由して一端側に向けて還流する熱交換流体が、第２リブによりコアに向けて案内されることでチューブに流入しやすくなる。よって、熱交換流体の流れに渦が発生することを抑制できる。
【図面の簡単な説明】
【００１１】
【図１】図１は、本発明の第１実施形態に係るインタークーラの概略を説明するための図である。
【図２】図２は、図１の矢視ＩＩである。
【図３】図３は、図２の矢視ＩＩＩであって、一部を切欠いて第１実施形態に係る第１ヘッダタンクの内側を示す図である。
【図４】図４は、図２の矢視ＩＶであって、一部を切欠いて第１実施形態に係る第１ヘッダタンクの内側を示す図である。
【図５】図５は、図４のＶ−Ｖ断面である。
【図６】図６は、本発明の第２実施形態に係るインタークーラが備える第１ヘッダタンクについて説明するための模式図であって、第１実施形態の図２に相当する。
【図７】図７は、図６の矢視ＶＩＩであって、一部を切欠いて第２実施形態に係る第１ヘッダタンクの内側を示す図である。
【図８】図８は、図７の矢視ＶＩＩＩであって、一部を切欠いて第２実施形態に係る第１ヘッダタンクの内側を示す図である。
【発明を実施するための形態】
【００１２】
＜第１実施形態＞
以下、添付図面を参照しながら本発明の第１実施形態に係る熱交換器としてのインタークーラ１００について説明する。図１は、インタークーラ１００の概略を説明するための図である。
【００１３】
インタークーラ１００は、図１に示すように、熱交換流体の熱交換を行うコア１０と、コア１０に熱交換流体を導入する第１ヘッダタンク２０と、コア１０から熱交換流体が排出される第２ヘッダタンク３０と、を備える熱交換器である。図１の矢印は、熱交換流体が流れる方向を示している。
【００１４】
コア１０は、第１ヘッダタンク２０から熱交換流体が流入する複数のチューブ１１と、複数のフィン１２とを備える。なお、図１では、一部のフィン１２のみを図示している。
【００１５】
チューブ１１は水平方向に延設されており、各チューブ１１は鉛直方向に並列に配置され、隣接するチューブ１１間にフィン１２が配置される。各チューブ１１には高温の熱交換流体が流入し、熱交換流体はコア１０において外気と熱交換を行って冷却された後に、各チューブ１１から第２ヘッダタンク３０へ排出される。
【００１６】
本実施形態では、各チューブ１１は水平方向に延設され、鉛直方向に並列に配置されているが、これに限られることはなく、例えば、各チューブ１１を水平方向に並列に配置してもよい。
【００１７】
次に、第１ヘッダタンク２０について図２から図５を参照しながら説明する。図２は、図１の矢視ＩＩである。図３は、図２の矢視ＩＩＩであって、一部を切欠いて第１ヘッダタンク２０の内側を示す図である。図４は、図２の矢視ＩＶであって、一部を切欠いて第１ヘッダタンク２０の内側を示す図である。図５は、図４のＶ−Ｖ断面である。
【００１８】
第１ヘッダタンク２０は、一端２１側において側壁２２（他方の側壁）側に偏って設けられ、熱交換流体を第１ヘッダタンク２０内に導入する導入部２３と、第１ヘッダタンク２０をコア１０に取り付けるフランジ２４と、を備える。
【００１９】
第１ヘッダタンク２０は、図３及び図４に示すように、鉛直方向下側になるにつれてコア１０との距離が小さくなるように湾曲している。
【００２０】
導入部２３は、円筒状に形成され、図２に示すように、中心軸ＣＬ１（一点鎖線）がコア１０における複数のチューブ１１の側面で形成された面Ｆ（破線）と直交する方向に沿うように設けられている。
【００２１】
このため、導入部２３から第１ヘッダタンク２０内に導入される熱交換流体は、側壁２２と対向する側壁２５（一方の側壁）に沿って流れる。
【００２２】
第１ヘッダタンク２０の側壁２５側には、図３及び図５に示すように、第１ヘッダタンク２０内に突出する第１リブ２５ａ、２５ｂが設けられる。
【００２３】
第１リブ２５ａ、２５ｂは、一端２１側における導入部２３の基端部近傍に起点を有し、第１ヘッダタンク２０の他端２６に近いほど第１ヘッダタンク２０内に大きく突出して形成される。
【００２４】
図３に示すように、第１リブ２５ａ、２５ｂは、他端２６に近いほどコア１０に向かって湾曲している。つまり、第１リブ２５ａ、２５ｂは、他端２６に近いほどコア１０に近づくように形成されている。
【００２５】
また、第１ヘッダタンク２０の側壁２２側には、図４及び図５に示すように、第１ヘッダタンク２０内に突出する第２リブ２２ａ、２２ｂが設けられる。
【００２６】
第２リブ２２ａ、２２ｂは、他端２６側に起点を有し、一端２１に近いほど第１ヘッダタンク２０内に大きく突出して形成される。
【００２７】
図４に示すように、第２リブ２２ａ、２２ｂは、一端２１に近いほどコア１０に向かって湾曲している。つまり、第２リブ２２ａ、２２ｂは、一端２１に近いほどコア１０に近づくように形成されている。
【００２８】
なお、本実施形態では、第１リブ２５ａ、２５ｂ及び第２リブ２２ａ、２２ｂの形成に合わせて、第１ヘッダタンク２０の外壁を内側へ窪ませているが、窪ませずに第１ヘッダタンク２０を形成しても良い。
【００２９】
また、第１リブ２５ａ、２５ｂ及び第２リブ２２ａ、２２ｂを第１ヘッダタンク２０とは異なる部材で構成し、第１ヘッダタンク２０内に配置しても良い。
【００３０】
第２ヘッダタンク３０は、内側に突出するリブを有していない点が第１ヘッダタンク２０と相違し、その他の構成は第１ヘッダタンク２０と同様である。
【００３１】
続いて、インタークーラ１００を上記のように構成することの作用効果について説明する。
【００３２】
上述したように、本実施形態では、導入部２３から第１ヘッダタンク２０内に流入した熱交換流体は、側壁２５に沿って流れる。
【００３３】
このため、第１ヘッダタンク２０内に流入した熱交換流体の流れは、図５に点線の矢印で示すように、第１リブ２５ａ、２５ｂによって案内される。
【００３４】
上述したように、第１リブ２５ａ、２５ｂは、他端２６に近いほどコア１０に近づくように形成されている。このため、第１リブ２５ａ、２５ｂに案内されることで、熱交換流体の流れの方向がコア１０に向かうように変換され、熱交換流体がチューブ１１に流入する。
【００３５】
なお、第１リブ２５ａ、２５ｂは、第１ヘッダタンク２０の他端２６側がコア１０に向かって湾曲して設けられるので、熱交換流体の流れの方向は徐々に変換される。よって、熱交換流体の流れが乱れることを抑制できる。
【００３６】
第１リブ２５ａによって案内された熱交換流体は、一端２１側に位置するチューブ１１に導かれ、第１リブ２５ｂによって案内された熱交換流体は、他端２６側に位置するチューブ１１に導かれる。よって、各チューブ１１に流入する熱交換流体の流量を均一化することができる。
【００３７】
本実施形態では、各チューブ１１に流入する熱交換流体の流量を均一化することができるという効果を、側壁２５側に設けられるリブを複数設けることで向上させている。
【００３８】
すなわち、第１リブ２５ａと第１リブ２５ｂとを設けることで、当該効果を向上させている。しかしながら、側壁２５側に設けられるリブが１つであっても同様の効果を得ることができる。また、リブを３つ以上設けることでより効果を向上させることもできる。
【００３９】
ここで、導入部２３から第１ヘッダタンク２０内に流入した熱交換流体の一部は、チューブ１１に流入することなく、第１ヘッダタンク２０の他端２６側を経由して側壁２２側を通って一端２１側に向けて還流される。
【００４０】
一端２１側に向けて還流する熱交換流体がそのまま第１ヘッダタンク２０内を循環してしまうと、熱交換流体の流れに渦が発生し、第１ヘッダタンク２０への熱交換流体の流入抵抗が増大してインタークーラ１００の効率が低下してしまう。
【００４１】
これに対して、本実施形態では、側壁２２側に、第２リブ２２ａ、２２ｂを設けている。
【００４２】
これによれば、チューブ１１に流入することなく一端２１側に向けて還流する熱交換流体が、図５に実線の矢印で示すように、第２リブ２２ａ、２２ｂによって案内される。
【００４３】
上述したように、第２リブ２２ａ、２２ｂは、一端２１に近いほどコア１０に近づくように形成されている。このため、一端２１側に向けて還流する熱交換流体は、第２リブ２２ａ、２２ｂに案内されることで、流れの方向がコア１０に向かうように変換されてチューブ１１に流入しやすくなる。
【００４４】
よって、第１ヘッダタンク２０内を循環する熱交換流体を低減でき、熱交換流体の流れに渦が発生することを抑制できる。
【００４５】
なお、第２リブ２２ａ、２２ｂは、第１ヘッダタンク２０の一端２１側がコア１０に向かって湾曲して設けられるので、熱交換流体の流れの方向は徐々に変換される。よって、熱交換流体の流れが乱れることを抑制できる。
【００４６】
第２リブ２２ａによって案内された熱交換流体は、一端２１側に位置するチューブ１１に導かれ、第２リブ２２ｂによって案内された熱交換流体は、他端２６側に位置するチューブ１１に導かれる。よって、各チューブ１１に流入する熱交換流体の流量を均一化することができる。
【００４７】
本実施形態では、各チューブ１１に流入する熱交換流体の流量を均一化することができるという効果を、側壁２２側に設けられるリブを複数設けることで向上させている。
【００４８】
すなわち、第２リブ２２ａと第２リブ２２ｂとを設けることで、当該効果を向上させている。しかしながら、側壁２２側に設けられるリブが１つであっても同様の効果を得ることができる。また、リブを３つ以上設けることでより効果を向上させることもできる。
【００４９】
以上述べたように、本実施形態では、インタークーラ１００の第１ヘッダタンク２０は、第１ヘッダタンク２０の一端２１側において側壁２２側に偏って設けられ、熱交換流体を第１ヘッダタンク２０に導入する導入部２３を備える。
【００５０】
また、第１ヘッダタンク２０は、導入部２３から導入される熱交換流体が沿って流れる一方の側壁２５側において第１ヘッダタンク２０内に突出して設けられ、第１ヘッダタンク２０の他端２６に近いほどコア１０に近づく第１リブ２５ａ、２５ｂを備える。
【００５１】
また、第１ヘッダタンク２０は、第１ヘッダタンク２０の他端２６側を経由して第１ヘッダタンク２０の一端２１側に向けて還流する熱交換流体が沿って流れる他方の側壁２２側において第１ヘッダタンク２０内に突出して設けられ、第１ヘッダタンク２０の一端２１に近いほどコア１０に近づく第２リブ２２ａ、２２ｂを備える。
【００５２】
また、本実施形態では、導入部２３の中心軸ＣＬ１は、コア１０における複数のチューブ１１の側面で形成された面Ｆに対して直交する方向に沿う。
【００５３】
これによれば、第１ヘッダタンク２０の他端２６側を経由して側壁２２側を通って一端２１側に還流する熱交換流体が、第２リブ２２ａ、２２ｂによりコア１０に向けて案内されることでチューブ１１に流入しやすくなる。よって、熱交換流体の流れに渦が発生することを抑制できる。
【００５４】
また、第１リブ２５ａ、２５ｂは、第１ヘッダタンク２０の他端２６側がコア１０に向かって湾曲して設けられ、第２リブ２２ａ、２２ｂは、第１ヘッダタンク２０の一端２１側がコア１０に向かって湾曲して設けられる。
【００５５】
これによれば、熱交換流体の流れ方向が徐々に変換されるので、熱交換流体の流れが乱れることを抑制できる。
【００５６】
また、第１リブ及び第２リブは、それぞれ複数設けられる。
【００５７】
これによれば、各チューブ１１に流入する熱交換流体の流量を均一化することができるという効果を向上させることができる。
【００５８】
＜第２実施形態＞
続いて、本発明の第２実施形態に係る熱交換器としてのインタークーラ２００が備える第１ヘッダタンク１２０について図６から図８を参照しながら説明する。図６は、第１ヘッダタンク１２０について説明するための模式図であって、第１実施形態の図２に相当する。図７は、図６の矢視ＶＩＩであって、一部を切欠いて第１ヘッダタンク１２０の内側を示す図である。図８は、図７の矢視ＶＩＩＩであって、一部を切欠いて第１ヘッダタンク１２０の内側を示す図である。
【００５９】
なお、インタークーラ２００は、第１ヘッダタンクの構成が第１実施形態と相違する。以下、第１実施形態との相違点を中心に説明し、第１実施形態と同様の構成については説明を省略する。
【００６０】
インタークーラ２００が備える第１ヘッダタンク１２０は、一端１２１側において側壁１２２（一方の側壁）側に偏って設けられ、熱交換流体を第１ヘッダタンク１２０内に導入する導入部１２３と、第１ヘッダタンク１２０をコア１０に取り付けるフランジ１２４と、を備える。
【００６１】
第１ヘッダタンク１２０は、図７及び図８に示すように、鉛直方向下側になるにつれてコア１０との距離が小さくなるように湾曲している。
【００６２】
導入部１２３は、円筒状に形成され、図６に示すように、中心軸ＣＬ２（一点鎖線）がコア１０における複数のチューブ１１が並列に設けられた方向に沿うように設けられている。
【００６３】
このため、導入部１２３から第１ヘッダタンク１２０内に導入される熱交換流体は、側壁１２２に沿って流れる。
【００６４】
第１ヘッダタンク１２０の側壁１２２側には、図８に示すように、第１ヘッダタンク１２０内に突出する第１リブ１２２ａ、１２２ｂが設けられる。
【００６５】
第１リブ１２２ａ、１２２ｂは、一端１２１側における導入部１２３の基端部近傍に起点を有し、第１ヘッダタンク１２０の他端１２６に近いほど第１ヘッダタンク１２０内に大きく突出して形成される。
【００６６】
第１リブ１２２ａ、１２２ｂは、他端１２６に近いほどコア１０に向かって湾曲している。つまり、第１リブ１２２ａ、１２２ｂは、他端１２６に近いほどコア１０に近づくように形成されている。
【００６７】
また、側壁１２２と対向する側壁１２５（他方の側壁）側には、図７に示すように、第１ヘッダタンク１２０内に突出する第２リブ１２５ａ、１２５ｂが設けられる。
【００６８】
第２リブ１２５ａ、１２５ｂは、他端１２６側に起点を有し、一端１２１に近いほど第１ヘッダタンク１２０内に大きく突出して形成される。
【００６９】
第２リブ１２５ａ、１２５ｂは、一端１２１に近いほどコア１０に向かって湾曲している。つまり、第２リブ１２５ａ、１２５ｂは、一端１２１に近いほどコア１０に近づくように形成されている。
【００７０】
なお、本実施形態では、第１リブ１２２ａ、１２２ｂ及び第２リブ１２５ａ、１２５ｂの形成に合わせて、第１ヘッダタンク１２０の外壁を内側へ窪ませているが、窪ませずに第１ヘッダタンク１２０を形成しても良い。
【００７１】
また、第１リブ１２２ａ、１２２ｂ及び第２リブ１２５ａ、１２５ｂを第１ヘッダタンク１２０とは異なる部材で構成し、第１ヘッダタンク１２０内に配置しても良い。
【００７２】
続いて、インタークーラ２００を上記のように構成することの作用効果について説明する。
【００７３】
上述したように、本実施形態では、導入部１２３から第１ヘッダタンク１２０内に流入した熱交換流体は、側壁１２２に沿って流れる。
【００７４】
このため、第１ヘッダタンク１２０内に流入した熱交換流体の流れは、第１リブ１２２ａ、１２２ｂによって案内される。
【００７５】
上述したように、第１リブ１２２ａ、１２２ｂは、他端１２６に近いほどコア１０に近づくように形成されている。このため、第１リブ１２２ａ、１２２ｂに案内されることで、熱交換流体の流れの方向がコア１０に向かうように変換され、熱交換流体がチューブ１１に流入する。
【００７６】
なお、第１リブ１２２ａ、１２２ｂは、第１ヘッダタンク１２０の他端１２６側がコア１０に向かって湾曲して設けられるので、熱交換流体の流れの方向は徐々に変換される。よって、熱交換流体の流れが乱れることを抑制できる。
【００７７】
第１リブ１２２ａによって案内された熱交換流体は、一端１２１側に位置するチューブ１１に導かれ、第１リブ１２２ｂによって案内された熱交換流体は、他端１２６側に位置するチューブ１１に導かれる。よって、各チューブ１１に流入する熱交換流体の流量を均一化することができる。
【００７８】
本実施形態では、各チューブ１１に流入する熱交換流体の流量を均一化することができるという効果を、側壁１２２側に設けられるリブを複数設けることで向上させている。
【００７９】
すなわち、第１リブ１２２ａと第１リブ１２２ｂとを設けることで、当該効果を向上させている。しかしながら、側壁１２２側に設けられるリブが１つであっても同様の効果を得ることができる。また、リブを３つ以上設けることでより効果を向上させることもできる。
【００８０】
ここで、導入部１２３から第１ヘッダタンク１２０内に流入した熱交換流体の一部は、チューブ１１に流入することなく、第１ヘッダタンク１２０の他端１２６側を経由して側壁１２５側を通って一端１２１側に向けて還流される。
【００８１】
一端１２１側に向けて還流する熱交換流体がそのまま第１ヘッダタンク１２０内を循環してしまうと、熱交換流体の流れに渦が発生し、第１ヘッダタンク１２０への熱交換流体の流入抵抗が増大してインタークーラ２００の効率が低下してしまう。
【００８２】
これに対して、本実施形態では、側壁１２５側に、第２リブ１２５ａ、１２５ｂを設けている。
【００８３】
これによれば、チューブ１１に流入することなく一端１２１側に向けて還流する熱交換流体が、第２リブ１２５ａ、１２５ｂによって案内される。
【００８４】
上述したように、第２リブ１２５ａ、１２５ｂは、一端１２１に近いほどコア１０に近づくように形成されている。このため、一端１２１側に向けて還流する熱交換流体は、第２リブ１２５ａ、１２５ｂに案内されることで、流れの方向がコア１０に向かうように変換されてチューブ１１に流入しやすくなる。
【００８５】
よって、第１ヘッダタンク１２０内を循環する熱交換流体を低減でき、熱交換流体の流れに渦が発生することを抑制できる。
【００８６】
なお、第２リブ１２５ａ、１２５ｂは、第１ヘッダタンク１２０の一端１２１側がコア１０に向かって湾曲して設けられるので、熱交換流体の流れの方向は徐々に変換される。よって、熱交換流体の流れが乱れることを抑制できる。
【００８７】
第２リブ１２５ａによって案内された熱交換流体は、一端１２１側に位置するチューブ１１に導かれ、第２リブ１２５ｂによって案内された熱交換流体は、他端１２６側に位置するチューブ１１に導かれる。よって、各チューブ１１に流入する熱交換流体の流量を均一化することができる。
【００８８】
本実施形態では、各チューブ１１に流入する熱交換流体の流量を均一化することができるという効果を、側壁１２５側に設けられるリブを複数設けることで向上させている。
【００８９】
すなわち、第２リブ１２５ａと第２リブ１２５ｂとを設けることで、当該効果を向上させている。しかしながら、側壁１２５側に設けられるリブが１つであっても同様の効果を得ることができる。また、リブを３つ以上設けることでより効果を向上させることもできる。
【００９０】
以上述べたように、本実施形態では、インタークーラ２００の第１ヘッダタンク１２０は、第１ヘッダタンク１２０の一端１２１側において側壁１２２側に偏って設けられ、熱交換流体を第１ヘッダタンク１２０に導入する導入部１２３を備える。
【００９１】
また、第１ヘッダタンク１２０は、導入部１２３から導入される熱交換流体が沿って流れる一方の側壁１２２側において第１ヘッダタンク１２０内に突出して設けられ、第１ヘッダタンク１２０の他端１２６に近いほどコア１０に近づく第１リブ１２２ａ、１２２ｂを備える。
【００９２】
また、第１ヘッダタンク１２０は、第１ヘッダタンク１２０の他端１２６側を経由して第１ヘッダタンク１２０の一端１２１側に向けて還流する熱交換流体が沿って流れる他方の側壁１２５側において第１ヘッダタンク１２０内に突出して設けられ、第１ヘッダタンク１２０の一端１２１に近いほどコア１０に近づく第２リブ１２５ａ、１２５ｂを備える。
【００９３】
また、本実施形態では、導入部１２３の中心軸ＣＬ２は、コア１０における複数のチューブ１１が並列に設けられた方向に沿う。
【００９４】
また、第１リブ１２２ａ、１２２ｂは、第１ヘッダタンク１２０の他端１２６側がコア１０に向かって湾曲して設けられ、第２リブ１２５ａ、１２５ｂは、第１ヘッダタンク２０の一端１２１側がコア１０に向かって湾曲して設けられる。
【００９５】
また、第１リブ及び第２リブは、それぞれ複数設けられる。
【００９６】
よって、本実施形態によれば、第１実施形態と同様の効果を得ることができる。
【００９７】
以上、本発明の実施形態について説明したが、上記実施形態は本発明の適用例の一つを示したものに過ぎず、本発明の技術的範囲を上記実施形態の具体的構成に限定する趣旨ではない。
【００９８】
例えば、上記実施形態では、熱交換器をインタークーラ１００、２００として説明したが、熱交換器は、ラジエータ、オイルクーラ、コンデンサ等であってもよい。
【００９９】
また、インタークーラ１００、２００を配置する向きは、適宜変更可能である。
【０１００】
また、上記第１実施形態では、導入部２３を、中心軸ＣＬ１が面Ｆと直交する方向に沿うように設けている。また、第２実施形態では、導入部１２３を、中心軸ＣＬ２が複数のチューブ１１が並列に設けられた方向に沿うように設けている。しかしながら、導入部２３、１２３の構成はこれに限定されるものではない。
【０１０１】
導入部２３は、導入部２３から第１ヘッダタンク２０内に流入した熱交換流体が側壁２５に沿うように流れる限度において、一端２１側において側壁２２側に偏って設けることができる。
【０１０２】
また、導入部１２３は、導入部１２３から第１ヘッダタンク１２０内に流入した熱交換流体が側壁１２２に沿うように流れる限度において、一端１２１側において側壁１２２側に偏って設けることができる。
【符号の説明】
【０１０３】
１００    インタークーラ（熱交換器）
１０      コア
１１      チューブ
２０      第１ヘッダタンク（ヘッダタンク）
２１      一端
２２      側壁（他方の側壁）
２２ａ    第２リブ
２２ｂ    第２リブ
２３      導入部
２５      側壁（一方の側壁）
２５ａ    第１リブ
２５ｂ    第１リブ
２６      他端
２００    インタークーラ（熱交換器）
１２０    第１ヘッダタンク（ヘッダタンク）
１２１    一端
１２２    側壁（一方の側壁）
１２２ａ  第１リブ
１２２ｂ  第１リブ
１２３    導入部
１２５    側壁（他方の側壁）
１２５ａ  第２リブ
１２５ｂ  第２リブ
１２６    他端
【図１】
2019007689.tif 000003
【図２】
2019007689.tif 000004
【図３】
2019007689.tif 000005
【図４】
2019007689.tif 000006
【図５】
2019007689.tif 000007
【図６】
2019007689.tif 000008
【図７】
2019007689.tif 000009
【図８】
2019007689.tif 000010